(57)【特許請求の範囲】
【請求項１】
湯配管，水配管，吐水管およびシャワが接続される筒状の水栓本体ケースを備えており、
湯配管の下流側に形成された接続部分が、前記水栓本体ケースの背面側に形成された湯導入口に接続され、
水配管の下流側に形成された接続部分が、前記水栓本体ケースの背面側に形成された水導入口に接続され、
吐水管の上流側に形成された接続部分が、前記水栓本体ケースの下面側に形成された吐水管用導出口に接続され、
シャワの上流側に形成された接続部分が、前記水栓本体ケースの背面側に形成されたシャワ用導出口に接続されている湯水混合栓において、
筒状で、その一端側の開口からその内部に前記水栓本体ケースが当接可能に挿入される陶磁性材料からなるカバー体を設け、
前記カバー体の背面に、湯配管の前記接続部分が挿通される挿通孔、水配管の前記接続部分が挿通される挿通孔およびシャワの前記接続部分が挿通される挿通孔が設けられているとともに、前記カバー体の下面に、吐水管の前記接続部分が挿通される挿通孔が設けられており、
前記水栓本体ケースに前記挿通孔を介して接続された前記接続部分が前記挿通孔の周縁に当接することにより、前記水栓本体ケースに対して前記カバー体がその軸方向に動くのを防止して前記水栓本体ケースがカバー体に固定されるようにしてあることを特徴とする湯水混合栓。
【請求項２】
水栓本体ケースに接続された前記各接続部分のうち、少なくとも二つの接続部分が、挿通する挿通孔の周縁に当接することにより、水栓本体ケースがカバー体に固定されるようにしてある請求項１に記載の湯水混合栓。
【請求項３】
湯配管の下流側に形成された接続部分が、対応した位置にある挿通孔の内側縁に当接するとともに、水配管の下流側に形成された接続部分が、対応した位置にある挿通孔の内側縁に当接するよう構成されている請求項１または２に記載の湯水混合栓。
【請求項４】
湯配管の下流側に形成された接続部分が、対応した位置にある挿通孔の外側縁に当接するとともに、水配管の下流側に形成された接続部分が、対応した位置にある挿通孔の外側縁に当接するよう構成されている請求項１または２に記載の湯水混合栓。
【請求項５】
水栓本体ケースの湯導入口は、湯配管の下流側に形成された接続部分の雄ねじ部と螺合する雌ねじ部を内壁に有し、さらに、前記接続部分は、前記雄ねじ部を前記雌ねじ部に螺着することにより前記接続部分が湯導入口に接続され、それによって、カバー体の挿通孔の周縁部に当接しうる大径部を、前記雄ねじ部の後端側の位置に有する一方、
前記挿通孔の径を、湯導入口の径とほぼ同じか大きくし、かつ前記大径部の径とほぼ同じか小さく設定してある請求項１または２に記載の湯水混合栓。
【請求項６】
カバー体の一端側または他端側のいずれか一方の内壁に小径部を設け、この小径部に水栓本体ケースの一端を当接させることにより、カバー体と水栓本体ケースとの相対的な位置関係を設定可能に構成してある請求項１ないし５のいずれかに記載の湯水混合栓。
【発明の詳細な説明】
【０００１】
【発明の属する技術分野】
本発明は、湯水混合栓に関するものである。
【０００２】
【従来の技術】
従来の湯水混合栓として、水栓本体ケースと、この水栓本体ケースを覆う筒状のカバー体とを備えたものがある。
【０００３】
【発明が解決しようとする課題】
しかし、上記湯水混合栓では、前記カバー体が、互いに着脱自在な複数の部材からなるもの（例えば、中空で一側面だけ開放されたカバー本体と、このカバー本体の前記一側面を閉塞する蓋体とからなるもの）であったことから、ステンレス等の加工性の良い金属や合成樹脂などを用いて前記カバー体を形成しなければならず、加工性が悪く、カバー体を構成する複数の部材を互いに着脱自在とするための構造を各部材に設けることが非常に困難な陶器などの材料を用いて前記筒状のカバー体を形成することができなかった。
【０００４】
本発明は上述の事柄に留意してなされたもので、その目的は、水栓本体を覆うカバー体として陶磁性材料を用いた湯水混合栓を提供することである。
【０００５】
【課題を解決するための手段】
上記目的を達成するために、本発明の湯水混合栓は、湯配管，水配管，吐水管およびシャワが接続される筒状の水栓本体ケースを備えており、
湯配管の下流側に形成された接続部分が、前記水栓本体ケースの背面側に形成された湯導入口に接続され、
水配管の下流側に形成された接続部分が、前記水栓本体ケースの背面側に形成された水導入口に接続され、
吐水管の上流側に形成された接続部分が、前記水栓本体ケースの下面側に形成された吐水管用導出口に接続され、
シャワの上流側に形成された接続部分が、前記水栓本体ケースの背面側に形成されたシャワ用導出口に接続されている湯水混合栓において、
筒状で、その一端側の開口からその内部に前記水栓本体ケースが当接可能に挿入される陶磁性材料からなるカバー体を設け、
前記カバー体の背面に、湯配管の前記接続部分が挿通される挿通孔、水配管の前記接続部分が挿通される挿通孔およびシャワの前記接続部分が挿通される挿通孔が設けられているとともに、前記カバー体の下面に、吐水管の前記接続部分が挿通される挿通孔が設けられており、
前記水栓本体ケースに前記挿通孔を介して接続された前記接続部分が前記挿通孔の周縁に当接することにより、前記水栓本体ケースに対して前記カバー体がその軸方向に動くのを防止して前記水栓本体ケースがカバー体に固定されるようにしてある（請求項１）。
【０００６】
【０００７】
【０００８】
上記の構成からなる本発明では、水栓本体を覆うカバー体として陶磁性材料を用いることができる湯水混合栓を提供することが可能となる。
【０００９】
【発明の実施の形態】
以下、本発明の実施の形態を図面に基づいて説明する。
図１および図２は、本発明の一実施例に係る湯水混合栓Ｄの構成を概略的に示す斜視図および分解斜視図、図３は、前記湯水混合栓Ｄの要部の構成を概略的に示す説明図である。
前記湯水混合栓Ｄは、筒状のカバー体１と、このカバー体１の一端側の開口２からその内部に挿入される水栓本体ケース３とを備えている。
【００１０】
前記カバー体１は、陶磁性材料（セラミック）からなる。
【００１１】
前記水栓本体ケース３には、湯配管４，水配管５，吐水管６およびシャワ（図示せず）が接続され、また、水栓本体ケース３の一端側には、前記吐水管６から湯水を吐出する状態と前記シャワから湯水を吐出する状態とに切り替えるための切替ユニット８が設けられ、他端側には、吐水管６またはシャワから吐出する湯水の温度を調整するための温度調整ユニット９が設けられている。
【００１２】
前記湯配管４および水配管５は、それぞれ偏心管からなる。そして、前記湯配管４の下流側に形成された接続部分４ａは、シール部材４ｂを介して前記水栓本体ケース３の背面側に形成された湯導入口３ａに接続される。また、前記水配管５の下流側に形成された接続部分５ａは、前記水栓本体ケース３の背面側に形成された水導入口３ｂに接続される。
【００１３】
ここで、前記水栓本体ケース３は、前記湯導入口３ａからその内部に向けて設けられた給湯側通路（図示せず）の下流端と、前記水導入口３ｂからその内部に向けて設けられた給水側通路（図示せず）の下流端とを並べて（近づけた状態で）有している。
【００１４】
前記吐水管６の先端部には、前記カバー体１と同じ材料からなるカバー部材１０が設けられている。そして、吐水管６の上流側に形成された接続部分６ａは、シール部材６ｂを介して前記水栓本体ケース３の下面側に形成された吐水管用導出口（図示せず）に接続される。なお、前記カバー部材１０は、例えば、一般的な構造を有する吐水管に設けられている断熱キャップの代用品として用いることができるように構成されている。
【００１５】
前記シャワは、例えば、シャワホース（図示せず）とシャワヘッド（図示せず）とを備えてなる一般的な構造を有するシャワである。そして、シャワの上流側に形成された接続部分７ａは、シール部材７ｂを介して前記水栓本体ケース３の背面側に形成されたシャワ用導出口３ｃに接続される。なお、前記シャワヘッドの部分に、前記カバー体１と同じ材料からなるカバー部材（図示せず）を設けるようにしてもよい。
【００１６】
前記切替ユニット８は、前記水栓本体ケース３内の一端側に収容される筒状の外ケース１１と、この外ケース１１の内側に例えばＯリングなどのシール部材（図示せず）を介して固定される筒状の内ケース１２と、この内ケース１２内に挿入され、先端に回動部材１３を有するハンドル軸１４と、前記水栓本体ケース３の一端にリング状の接続部材１５を介して接続される前記水栓本体ケース３と同径の切替表示リング体１６と、この切替表示リング体１６に沿って回動し、かつ前記ハンドル軸１４の後端に連結される切替ハンドル１７とを有している。
【００１７】
前記外ケース１１は、前記水栓本体ケース３の下面側に形成された吐水管用導出口に連通する吐水管連通穴１１ａと、前記水栓本体ケース３の背面側に形成されたシャワ用導出口３ｃに連通するシャワ連通穴１１ｂとを有している。
【００１８】
前記回動部材１３は、切欠穴１３ａを有し、前記切替ハンドル１７の切替え操作により回動部材１３が回動して、前記切欠穴１３ａが、前記吐水管連通穴１１ａおよびシャワ連通穴１１ｂのいずれか一方に連通するか、または両方に連通しない状態となる。
【００１９】
前記温度調整ユニット９は、サーモワックスを内蔵したサーモエレメント（図示せず）およびピストン（図示せず）を具備し、前記水栓本体ケース３内の他端側に収容される外ケース１８と、前記水栓本体ケース３の他端に接続部材１９を介して接続される前記水栓本体ケース３と同径の温度表示リング体２０と、この温度表示リング体２０に沿って回動する温度調整ハンドル２１とを有している。
【００２０】
前記外ケース１８は、湯水取入口１８ａを有し、前記温度調整ハンドル２１の回動操作により外ケース１８が回動して、前記湯水取入口１８ａが、前記水栓本体ケース３の給湯側通路および給水側通路のいずれか一方に連通するか、または両方に連通した状態となる。
【００２１】
そして、前記湯水混合栓Ｄでは、前記カバー体１の背面に、前記湯配管４の接続部分４ａが挿通される挿通孔１ａ，前記水配管５の接続部分５ａが挿通される挿通孔１ｂおよび前記シャワの接続部分７ａが挿通される挿通孔１ｃが設けられているとともに、カバー体１の下面に、前記吐水管６の接続部分６ａが挿通される挿通孔（図示せず）が設けられており、水栓本体ケース３に接続された前記接続部分４ａ，５ａ，６ａ，７ａのうち、少なくとも二つの接続部分（本実施例では、前記接続部分４ａ，５ａ）が、挿通する挿通孔（本実施例では、挿通孔１ａ，１ｂ）の周縁に当接することにより、水栓本体ケース３がカバー体１に固定されるようにしてある。
【００２２】
例えば、図４（Ａ）に示すように、前記接続部分４ａが挿通孔１ａの内側縁２２に当接するとともに、前記接続部分５ａが挿通孔１ｂの内側縁２３に当接するようにすれば、水栓本体ケース３に対してカバー体１がその軸方向（左右方向）に動くことがなくなり、これによって上記固定を行うことができる。
【００２３】
また、図４（Ｂ）に示すように、前記接続部分４ａが挿通孔１ａの外側縁２４に当接するとともに、前記接続部分５ａが挿通孔１ｂの外側縁２５に当接するようにしても、水栓本体ケース３に対してカバー体１がその軸方向（左右方向）に動くことがなくなり、これによって上記固定を行うことができる。
【００２４】
さらに、前記挿通孔（以下、一例として挿通孔１ａとする）の周縁に対する接続部分（以下、一例として接続部分４ａとする）の当接をより強固なものとするために、図５に示すように、前記接続部分４ａに雄ねじ部２６を設けるとともに、この雄ねじ部２６と螺合する雌ねじ部２７を前記水栓本体ケース３の湯導入口３ａの内壁に設け、さらに、前記接続部分４ａにおける雄ねじ部２６のすぐ後端側の位置に大径部２８を設けるようにしてもよい。この場合には、前記雄ねじ部２６を雌ねじ部２７に螺着することにより接続部分４ａを湯導入口３ａに接続すると、必然的に前記大径部２８が前記カバー体１の挿通孔１ａの周縁部に強く当接することになり、ひいては水栓本体ケース３に対するカバー体１の固定がより確実なものとなる。なお、この場合、前記挿通孔１ａの径を、湯導入口３ａの径とほぼ同じか若干大きくし、かつ前記大径部２８の径とほぼ同じか若干小さくすればよい。
【００２５】
次に、上記の構成からなる湯水混合栓Ｄの組み立て方法について説明する。
前記湯水混合栓Ｄを組み立てるには、まず、前記水栓本体ケース３内に前記切替ユニット８の外ケース１１および温度調整ユニット９の外ケース１８を組み込んだ後、水栓本体ケース３の外側に前記カバー体１を被せた状態とする。このとき、カバー体１に設けられた前記４つの挿通孔と、水栓本体ケース３に設けられた湯導入口３ａ，水導入口３ｂ，吐水管用導出口およびシャワ用導出口３ｃとがそれぞれ対応した位置にあるように調整しておく。
【００２６】
続いて、前記湯配管４，水配管５，吐水管６およびシャワの各接続部分４ａ，５ａ，６ａ，７ａをそれぞれ水栓本体ケース３に接続するとともに、前記接続部材１５，切替表示リング体１６および切替ハンドル１７を水栓本体ケース３の一端側に取り付け、前記接続部材１９，温度表示リング体２０および温度調整ハンドル２１を水栓本体ケース３の他端側に取り付け、これによって、湯水混合栓Ｄの組み立てが完了する。
【００２７】
なお、組み立てが完了した状態の湯水混合栓Ｄでは、前記切替ハンドル１７および温度調整ハンドル２１がそれぞれ、前記カバー体１の側方に露出しており、その回動操作を行いやすい状態となっている。
【００２８】
そして、上記のように組み立てられた湯水混合栓Ｄでは、前記温度調整ハンドル２１を回動操作することによって、前記給湯側通路から湯水取入口１８ａの下流側に送られる湯の流量と、前記給水側通路から湯水取入口１８ａの下流側に送られる水の流量との割合の調整が行われ、この調整によって適温となるように混合された湯水は、前記回動部材１３の内側へと送られる。
【００２９】
また、前記切替ハンドル１７を回動操作することによって、回動部材１３の切欠穴１３ａが前記吐水管連通穴１１ａおよびシャワ連通穴１１ｂのいずれか一方に連通するか、または両方に連通しない状態となるのであり、前記切欠穴１３ａが吐水管連通穴１１ａに連通している状態では、回動部材１３の内側に送られた湯水は吐水管６へと導出され、前記切欠穴１３ａがシャワ連通穴１１ｂに連通している状態では、回動部材１３の内側に送られた湯水はシャワへと導出される。なお、前記切替ハンドル１７の回動操作により、前記切欠穴１３ａと吐水管連通穴１１ａとの連通する度合いと、前記切欠穴１３ａとシャワ連通穴１１ｂとの連通する度合いとを自在に調整できることから、回動部材１３の内側から吐水管６およびシャワへと導出する湯水の導出量（吐水管６およびシャワから吐出する湯水の吐出量）を前記切替ハンドル１７の回動操作によって調整することができる。
【００３０】
【００３１】
上記の構成からなる湯水混合栓Ｄでは、前記カバー体１の材料として陶磁性の材料を用いるので、湯水混合栓Ｄ自体の腐食を防止でき、その耐久性の向上を図ることができる。また、従来より用いられていたステンレス等の加工性の良い金属や合成樹脂などでは得られなかった和風の外観や独特の重量感，肌触りを実現するようにすることも可能となる。さらに、水栓本体ケース３が仮に高温となっても断熱性を有する前記カバー体１によってその高温部が外部に露出することを防止できるため、湯水混合栓Ｄの使用者が火傷することなども確実に防ぐことが可能となる。また、前記カバー体１によって湯水混合栓Ｄに生じる結露なども防止できる。
【００３２】
なお、上記の構成からなる湯水混合栓Ｄにおいて、前記カバー体１の一端側または他端側のいずれか一方の内壁に小径部（図示せず）を設け、この小径部に前記水栓本体ケース３の一端を当接させることにより、カバー体１と水栓本体ケース３との相対的な位置関係が最適となるように、すなわち位置決めできるように構成してもよく、さらに、この場合には、前記小径部を前記切替ユニット８または温度調整ユニット９によって挟み込むように構成することにより、水栓本体ケース３とカバー体１との固定をより強固なものとするようにしてもよい。
【００３３】
また、図６に示すように、カバー体１および水栓本体ケース３を通常よりも長く形成し、その胴体部分を手すりとしても用いることができるように構成してもよい。この場合のカバー体１以外の部分についての具体的な構造は、例えば、特願２００１−２５４００３の明細書および図面に記載の手すり型水栓の構造と同様とすることができる。
【００３４】
【発明の効果】
以上説明したように、本発明によれば、水栓本体を覆うカバー体として陶磁性材料を用いることができる湯水混合栓を提供することが可能となる。
【図面の簡単な説明】
【図１】  本発明の一実施例に係る湯水混合栓の構成を概略的に示す斜視図である。
【図２】  上記実施例の構成を概略的に示す分解斜視図である。
【図３】  上記実施例における要部の構成を概略的に示す説明図である。
【図４】  （Ａ）および（Ｂ）は、上記実施例における要部の一例および他の例の構成を概略的に示す説明図である。
【図５】  上記実施例における要部のさらに他の例の構成を概略的に示す説明図である。
【図６】  上記湯水混合栓の変形例の構成を概略的に示す斜視図である。
【符号の説明】
１…カバー体、１ａ，１ｂ，１ｃ…挿通孔、２…開口、３…水栓本体ケース、３ａ…湯導入口、３ｂ…水導入口、３ｃ…シャワ用導出口、４…湯配管、４ａ，５ａ，６ａ，７ａ…接続部分、５…水配管，６…吐水管、Ｄ…湯水混合栓。
【図１】
0004105895.tif 000002
【図２】
0004105895.tif 000003
【図３】
0004105895.tif 000004
【図４】
0004105895.tif 000005
【図５】
0004105895.tif 000006
【図６】
0004105895.tif 000007